(57)【要約】【課題】建物に入射する太陽光線を長い時間照射して、トータル発電電力を大きくする。充電式電気機器と太陽電池とを短い引き出し線で連結して便利に使用する。【解決手段】ソーラー充電器は、シートカバー１１の表面に太陽電池１２を固定してなる発電シート１０を備えている。発電シート１０は、シートカバー１１の裏面に、充電式電気機器４０を収納できる光透過性構造の収納ポケット１３を設けている。ソーラー充電器は、この収納ポケット１３に充電式電気機器４０を収納して、発電シート１０の太陽電池１２の発電電力で、充電式電気機器４０に内蔵される二次電池４１を充電している。【選択図】図３
2011019316.tif 000002
【特許請求の範囲】
【請求項１】
シートカバー(11)、(31)の表面に太陽電池(12)を固定してなる発電シート(10)、(30)を備え、
前記発電シート(10)、(30)が、シートカバー(11)、(31)の裏面に、充電式電気機器(40)を収納できる光透過性構造の収納ポケット(13)を設けており、前記収納ポケット(13)に前記充電式電気機器(40)を収納して、発電シート(10)、(30)の太陽電池(12)の発電電力で前記充電式電気機器(40)に内蔵される二次電池(41)を充電するようにしてなるソーラー充電器。
【請求項２】
前記収納ポケット(13)の光透過性構造が、メッシュ構造あるいは透明シート構造である請求項１に記載されるソーラー充電器。
【請求項３】
前記発電シート(10)、(30)の太陽電池(12)に接続されて、太陽電池(12)の発電電力で充電される二次電池(41)を内蔵してなる充電式電気機器(40)を備えており、前記充電式電気機器(40)が、外部に接続される携帯機器(60)の内蔵電池(61)を充電する緊急充電器(40A)である請求項２に記載されるソーラー充電器。
【請求項４】
前記緊急充電器(40A)が、内蔵される二次電池(41)の充電状態を表示する表示部(43)を備える請求項３に記載されるソーラー充電器。
【請求項５】
前記発電シート(10)、(30)の上端部に、吊り下げ穴(25)が設けられ、あるいは吸盤(26)が設けられ、あるいは又粘着層を有する請求項２または３に記載されるソーラー充電器。
【請求項６】
前記発電シート(10)、(30)のシートカバー(11)、(31)が布地である請求項２または３に記載されるソーラー充電器。
【請求項７】
前記シートカバー(31)の表面に２枚の太陽電池(12)が固定されて、太陽電池(12)の中間でシートカバー(31)を折曲して２枚重ねに折り畳み自在な構造としており、さらに、シートカバー(31)の表面には、折り畳まれて互いに積層されるシートカバー(31)を脱着自在に連結する脱着連結具(18)を設けており、この脱着連結具(18)でもってシートカバー(31)が２枚重ねの折り畳み状態に保持されて、折り畳まれたシートカバー(31)の内側に太陽電池(12)を収納するようにしてなる請求項２または３に記載されるソーラー充電器。
【請求項８】
前記発電シート(10)、(30)に太陽電池(12)に接続している引き出し線(20)を連結しており、この引き出し線(20)の先端に充電式電気機器(40)に接続される出力コネクタ(21)を連結している請求項２または３に記載されるソーラー充電器。
【請求項９】
前記発電シート(10)、(30)に太陽電池(12)に接続している引き出し線(20)を連結しており、この引き出し線(20)の先端にＵＳＢコネクタ(21A)を連結しており、ＵＳＢコネクタ(21A)が充電式電気機器(40)に接続されて内蔵される二次電池(41)を充電するようにしてなる請求項２または３に記載されるソーラー充電器。
【発明の詳細な説明】
【技術分野】
【０００１】
本発明は、太陽電池で携帯電話やモバイル機器などの携帯機器の内蔵電池を充電するソーラー充電器に関する。
【背景技術】
【０００２】
太陽電池で電池を充電するソーラー充電器は開発されている。（特許文献１参照）
特許文献１に記載するソーラー充電器は、図１と図２に示すように、四角錐状のケース１０１の底面１０２に太陽電池１０４を固定して、内部には予備電池１０５を設けている。さらに、充電される外部電池１０６を脱着自在に収納している。このソーラー充電器は、底面１０２の太陽電池１０４を太陽に向くように配置して、太陽電池１０４で外部電池１０６や予備電池１０５を充電する。
【先行技術文献】
【特許文献】
【０００３】
【特許文献１】特開２００８−１０４２４９号公報
【発明の概要】
【発明が解決しようとする課題】
【０００４】
図に示すソーラー充電器は、四季を通じて効率よく充電するために、太陽の仰角によってケースの姿勢を変更するが、台の上に載せて使用することから使用場所が制限されて、常に効率よく発電させるのが難しい。それは、室内の机などの上に載せて使用するとき、窓ガラスと載せる机との相対位置によっては、窓ガラスから入射される太陽光線を連続して長い時間ソーラー充電器に照射できないことがあるからである。太陽光線は、窓ガラスを透過して建物内に入射される。このため、窓ガラスにソーラー充電器をセットすることで、より長い時間にわたって太陽光線で効率よく発電できる。したがって、本発明の第１の目的は、建物に入射する太陽光線を長い時間照射して、トータル発電電力を大きくできるソーラー充電器を提供することにある。
【０００５】
このソーラー充電器は、長い時間太陽光線に照射されてトータル発電電力を大きくできるので、発電電力を蓄えるために、太陽電池で充電式電気機器の二次電池を充電することで、太陽電池の発電電力を効率よく利用できる。このソーラー充電器は、窓ガラスにセットされる太陽電池を充電式電気機器に引き出し線で接続する必要がある。充電式電気機器は、長い引き出し線で太陽電池に接続して、室内の机などに載せることもできるが、この構造では、引き出し線が邪魔になって便利に使用できない欠点がある。
本発明の第２の目的は、以上の欠点を解決すること、すなわち、充電式電気機器と太陽電池とを短い引き出し線で連結して便利に使用できるソーラー充電器を提供することにある。
【課題を解決するための手段及び発明の効果】
【０００６】
本発明のソーラー充電器は、シートカバー１１、３１の表面に太陽電池１２を固定してなる発電シート１０、３０を備えている。発電シート１０、３０は、シートカバー１１、３１の裏面に、充電式電気機器４０を収納できる光透過性構造の収納ポケット１３を設けている。ソーラー充電器は、この収納ポケット１３に充電式電気機器４０を収納して、発電シート１０、３０の太陽電池１２の発電電力で、充電式電気機器４０に内蔵される二次電池４１を充電している。
【０００７】
以上のソーラー充電器は、太陽光が照射される場所に配置でき、例えば、建物等の窓等にセットできるので、建物等に入射する太陽光線が長い時間照射される位置に配置できる。このため、トータル発電電力を大きくして、太陽電池に接続している充電式電気機器の二次電池を効率よく充電できる。また、充電式電気機器と太陽電池とを短い引き出し線で連結して便利に使用できる特徴がある。
【０００８】
本発明のソーラー充電器は、収納ポケット１３の光透過性構造を、メッシュ構造とし、あるいは透明シート構造とすることができる。
以上のソーラー充電器は、収納ポケットを光透過性構造としているので、収納ポケットに収納された充電式電気機器を外部から視認でき、これにより安心して充電式電気機器を充電できる。とくに、収納ポケットをメッシュ構造とするソーラー充電器は、収納ポケットに通気性を向上できるので、窓ガラスにセットして発電する状態で、充電式電気機器の温度上昇を少なくできる特徴がある。すなわち、窓ガラスにセットされた太陽電池が太陽光線に照射されて温度が高くなっても、メッシュ構造の収納ポケットは、通気できるので、ここに収納される充電式電気機器の温度上昇を有効に防止して、内蔵される二次電池の電気特性の低下や、内蔵している充電回路などの熱による弊害を有効に防止できる。
【０００９】
本発明のソーラー充電器は、発電シート１０、３０の太陽電池１２に接続されて、太陽電池１２の発電電力で充電される二次電池４１を内蔵してなる充電式電気機器を備えることができる。この充電式電気機器４０は、外部に接続される携帯機器６０の内蔵電池６１を充電する緊急充電器４０Ａとすることができる。
【００１０】
さらに、本発明のソーラー充電器は、緊急充電器４０Ａが、内蔵される二次電池４１の充電状態を表示する表示部４３を備えることができる。
以上のソーラー充電器は、収納ポケットに緊急充電器を収納して太陽電池に接続する状態で、太陽電池で充電される二次電池の充電状態を、表示部を外部から見て確認できる。このため、緊急充電器の二次電池が確実に充電されることを確認しながら、安心して使用できる。
【００１１】
本発明のソーラー充電器は、発電シート１０、３０の上端部に、吊り下げ穴２５を設け、あるいは吸盤２６を設け、あるいは又粘着層を設けることができる。
以上のソーラー充電器は、吊り下げ穴をフックに引っ掛けて窓ガラスの内側に簡単にセットでき、また、屋外に設けたフックに引っ掛けて屋外でも便利に使用できる。また、吸盤や粘着層を有する発電シートは、窓ガラスの内側に簡単かつ容易にセットして、太陽光線に十分に照射されて効率よく発電できる状態で固定できる。
【００１２】
本発明のソーラー充電器は、発電シート１０、３０のシートカバー１１を布地とすることができる。
この発電シートは、シートカバーを布地とするのでソフトで強靱な構造として耐久性を向上できる。
【００１３】
本発明のソーラー充電器は、シートカバー３１の表面に２枚の太陽電池１２を固定して、太陽電池１２の中間でシートカバー３１を折曲して２枚重ねに折り畳み自在な構造とすると共に、シートカバー３１の表面には、折り畳まれて互いに積層されるシートカバー３１を脱着自在に連結する脱着連結具１８を設けて、この脱着連結具１８でもってシートカバー３１を２枚重ねの折り畳み状態に保持して、折り畳まれたシートカバー３１の内側に太陽電池１２を収納することができる。
以上のソーラー充電器は、シートカバーを２枚重ねに折り畳んで小さく便利に持ち運びしながら、使用状態では広げて大きな面積として発電電力を大きくできる。また、シートカバーを折り畳み状態として、内側に収納される太陽電池をシートカバーで保護できる特徴もある。
【００１４】
本発明のソーラー充電器は、発電シート１０、３０に、太陽電池１２に接続している引き出し線２０を連結して、この引き出し線２０の先端に充電式電気機器４０に接続される出力コネクタ２１を連結してすることができる。
このソーラー充電器は、充電式電気機器を出力コネクタから外して、他の携帯機器の内蔵電池を充電できる。したがって、このソーラー充電器は、充電式電気機器を発電シートから分離して携帯機器の内蔵電池を充電できる。
【００１５】
本発明のソーラー充電器は、発電シート１０、３０に、太陽電池１２に接続している引き出し線２０を連結して、この引き出し線２０の先端にＵＳＢコネクタ２１Ａを連結して、ＵＳＢコネクタ２１Ａを他の電子器機に接続して、電子器機の内蔵電池を充電することができる。
以上のソーラー充電器は、ＵＳＢコネクタに接続できる全ての電子器機の内蔵電池を充電できる。とくに、発電シートの太陽電池で直接に電子器機の内蔵電池を充電できる。
【図面の簡単な説明】
【００１６】
【図１】本出願人が先に出願したソーラー充電器の斜視図である。
【図２】図１に示すソーラー充電器の断面図である。
【図３】本発明の一実施例にかかるソーラー充電器の斜視図である。
【図４】図３に示すソーラー充電器の背面斜視図である。
【図５】図３に示すソーラー充電器の使用状態の一例を示す断面図である。
【図６】本発明の他の実施例にかかるソーラー充電器の斜視図である。
【図７】図６に示すソーラー充電器の背面斜視図である。
【図８】図６に示すソーラー充電器のシートカバーを折り畳む状態を示す斜視図である。
【図９】図６に示すソーラー充電器の使用状態の一例を示す斜視図である。
【図１０】本発明の他の実施例にかかるソーラー充電器の背面斜視図である。
【図１１】図１０に示すソーラー充電器の使用状態の一例を示す斜視図である。
【図１２】緊急充電器の一例を示す斜視図である。
【図１３】図１２に示す緊急充電器を背面側から見た分解斜視図である。
【発明を実施するための形態】
【００１７】
以下、本発明の実施例を図面に基づいて説明する。ただし、以下に示す実施例は、本発明の技術思想を具体化するためのソーラー充電器を例示するものであって、本発明はソーラー充電器を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図３ないし図１１に示すソーラー充電器は、可撓性シートからなるシートカバー１１、３１の表面に太陽電池１２を固定している発電シート１０、３０を備えている。発電シート１０、３０は、シートカバー１１、３１の裏面に、充電式電気機器４０を収納できる収納ポケット１３を設けており、この収納ポケット１３に充電式電気機器４０を収納して、発電シート１０、３０の太陽電池１２の発電電力で充電式電気機器４０に内蔵される二次電池４１を充電するようにしている。
本明細書において、充電式電気機器とは、太陽電池の発電電力で充電される二次電池を内蔵している電気機器であって、外部に接続される携帯機器を充電する緊急充電器、あるいは、携帯電話やＩＣプレーヤ等の携帯機器とすることができる。
【００２０】
発電シート１０、３０は、太陽電池１２の面積を大きくして発電電力を大きくできる。太陽電池１２は、たとえば一辺を１０ｃｍ〜２０ｃｍとする四角形である。太陽光線に照射される状態での太陽電池１２の発電電力は、たとえば一辺を１０ｃｍの正方形として約１Ｗに、一辺を１５ｃｍの正方形として約２Ｗに、一辺を２０ｃｍの正方形として約４Ｗにできる。太陽電池１２は、シリコン結晶系太陽電池、または、アモルファスシリコン太陽電池が利用できる。
【００２１】
シートカバー１１、３１の外形は太陽電池１２の外形よりも大きく、太陽電池１２の周囲にシートカバー１１、３１を突出させる領域を設けて、太陽電池１２の周囲をシートカバー１１、３１で保護している。シートカバー１１、３１は、帆布などの布地で、太陽電池１２を接着剤で接着し、あるいは粘着剤でシートカバー１１、３１の表面に固定している。ただし、シートカバーには、布地に代わって不織布や軟質のプラスチックシート等の可撓性シートも使用できる。シートカバー１１、３１は、周縁を袋縫いして、補強線材１７を挿入している。補強線材１７には、弾性変形できる、外径を１ｍｍφ〜２ｍｍφとする硬質のプラスチックパイプを使用している。外周に沿って補強線材１７を挿入するために、シートカバー１１、３１のコーナー部は所定の曲率半径、たとえば５ｍｍ〜２ｃｍで湾曲する形状としている。
【００２２】
図３の発電シート１０は、シートカバー１１の表面に１枚の太陽電池１２を固定し、図６の発電シート３０は、シートカバー３１の表面に２枚の太陽電池１２を固定している。２枚の太陽電池１２を固定しているシートカバー３１は、図８に示すように、２枚の太陽電池１２の中間で折曲して２枚重ねに折り畳みできる構造としている。この発電シート３０は、シートカバー３１を中間で折り畳んで２枚重ねとし、折り畳まれたシートカバー１１の内側に２枚の太陽電池１２を収納する。図６と図８のシートカバー３１は、折り畳まれて互いに積層されるシートカバー３１を脱着自在に連結する脱着連結具１８を表面に設けている。この発電シート３０は、折り畳まれたシートカバー３１の互いに積層される面を脱着連結具１８で連結して、２枚重ねの姿勢に保持できるようにしている。図の脱着連結具１８は脱着自在なホックで、図６において、シートカバー３１の上下の端部であって、折り畳んだ状態で互いに対向する位置に一対の連結片をそれぞれ設けている。ただ、脱着連結具には、面ファスナーや磁石等も使用できる。脱着連結具に磁石を利用する場合、一対の磁石をシートカバーの内部の対向する位置に設置して、シートカバーの外側面に表出しない構造として、外観を良くして意匠性を向上させることができる。さらに、発電シートは、図示しないが、２枚重ねに折り畳みされるシートカバーの周縁をファスナーで連結して、内部に２枚の太陽電池を収納することもできる。このように、太陽電池１２を折り畳まれたシートカバー３１の内側に収納する発電シート３０は、太陽電池１２を保護しながら、全体をコンパクトにして便利に持ち運びできる。
【００２３】
発電シート１０、３０は、窓ガラスに簡単にセットできるように、上端部に吊り下げ穴２５を設けている。図３ないし図１１の発電シート１０、３０は、シートカバー１１、３１の上端部に吊り下げ穴２５を設けている。これらの発電シート１０、３０は、図５、図９、及び図１１に示すように、吊り下げ穴２５をフック５２に引っ掛けて、窓ガラス５０の内側に簡単にセットできる。フック５２は、窓ガラス５０や窓枠５１に固定され、あるいは、窓枠５１から垂らした吊り紐５３の下端に設けられる。発電シート１０、３０は、フック５２に吊り下げて、窓ガラス５０の内側にセットできる。さらに、発電シート１０は、図３の鎖線で示すように、シートカバー１１の表面に吸盤２６を固定して、吸盤２６で窓ガラス５０の室内側に簡単にセットすることもできる。とくに、シートカバー１１の表面に複数の吸盤２６を固定して、窓ガラス５０の内側にゆらゆらと動かないように確実にセットできる。さらに、特定の窓ガラスに移動しないようにセットする発電シートは、シートカバーの表面に粘着層を設け、この粘着層を窓ガラス５０の内面に付着して確実にセットできる。この発電シートも、シートカバーの表面の複数カ所に粘着層を設けて、発電シートを確実に窓ガラスに固定できる。
【００２４】
発電シート１０、３０は、太陽電池１２を設けた表面の反対側の面、すなわちシートカバー１１、３１の裏面に、充電式電気機器４０を脱着できるように収納する収納ポケット１３を設けている。図に示す発電シート１０、３０は、シートカバー１１、３１の裏面に背面シート１４を連結して、収納ポケット１３を設けている。この収納ポケット１３は、シートカバー１１、３１と背面シート１４の間を、充電式電気機器４０の収納スペースとしている。収納ポケット１３は、背面シート１４の周縁に沿ってファスナー１５を固定して、開口縁を開閉できるようにしている。この発電シート１０、３０は、充電式電気機器４０が外部に出ないように収納ポケット１３に収納できる。ただ、収納ポケット１３の開口部は必ずしも閉塞する必要ない。それは、収納ポケット１３の開口部を上方にして、窓ガラス５０にセットして充電式電気機器４０を出ないように収納ポケット１３に収納できるからである。
【００２５】
図３と図４の発電シート１０は、シートカバー１１の全体に収納ポケット１３を設けている。また、図６ないし図１１の発電シート３０は、シートカバー３１の半分に収納ポケット１３を設けている。この発電シート３０は、収納ポケット１３の大きさを、２枚重ねに折り畳まれたシートカバー３１の大きさとしている。これらの発電シート１０、３０は、収納ポケット１３を大きくして、充電式電気機器４０を簡単に出し入れできる。ただ、収納ポケットは、その幅をシートカバーの横幅よりも狭くすることができ、あるいは、その上下幅を、図４においては、シートカバーよりも小さくし、また、図７と図１０においては、シートカバーの半分よりも小さく、あるいは半分よりも大きくすることもできる。ただ、収納ポケット１３は、充電式電気機器４０を収納して太陽電池１２で充電するので、少なくとも充電式電気機器４０を収
納できる大きさとする。
【００２６】
図に示す収納ポケット１３は、背面シート１４の周縁に沿って周壁１６を設けると共に、背面シート１４の周縁と対向するシートカバー１１、３１の周縁または裏面にも周壁１６を設けて、これらの周壁１６をファスナー１５で連結している。この構造の収納ポケット１３は、シートカバー１１、３１と背面シート１４との連結部分である外周部にマチを設けて、内部に充電式電気機器４０を無理なく収納できる特徴がある。周壁１６は、収納ポケット１３を閉じる状態で、互いに接近する方向に突出している。ファスナー１５で連結された周壁１６の幅は、収納ポケット１３の厚さを特定する。ファスナー１５で連結された周壁１６の幅は、１ｃｍ〜２ｃｍとして、内部に充電式電気機器４０を無理なく収納できる。
【００２７】
収納ポケット１３は、光透過性構造としている。収納ポケット１３を光透過性構造とするソーラー充電器は、図５、図９、及び図１１に示すように、窓ガラス５０にセットする状態で、収納ポケット１３に収納された充電式電気機器４０を外部から視認できる特徴がある。図４、図５、図７及び図９に示す収納ポケット１３は、メッシュ構造として光を透過できる構造としている。これらの図の収納ポケット１３は、メッシュ構造とするために、背面シート１４を網目状のシート１４Ａとしている。背面シート１４を網目状のシート１４Ａとする収納ポケット１３は、通気性を向上して、ここに収納される充電式電気機器４０の温度上昇を少なくできる特徴がある。網目状のシートは、網目を大きくして通気性を良くできる。通気性に優れた網目状のシート１４Ａは、収納ポケット１３に収納する充電式電気機器４０をより効率よく冷却できる。ただ、網目状のシートは、網目を大きくすると、強度、とくに引っ張り強度や引き裂き強度が低下する。したがって、網目状のシートの網目の大きさは、要求される通気性と網目を構成する線材の強度を考慮して、好ましくは１ｍｍないし１０ｍｍ、好ましくは１ｍｍないし５ｍｍとする。
【００２８】
さらに、図１０と図１１に示す収納ポケット１３は、透明シート構造として光を透過できる構造としている。これらの図の収納ポケット１３は、背面シート１４を透明シート１４Ｂとしている。透明シート１４Ｂは、可撓性を有するプラスチックシートである。この透明シート１４Ｂは、無色、または薄く着色されたプラスチックシートとして、外部から内側を視認できる構造としている。このように、背面シート１４をプラスチックシートとするソーラー充電器は、簡易的な防水性を実現できるので、屋外で使用する場合等において、突然の降雨の際にも、収納ポケット１３に収納される充電式電気機器４０を雨水から一時的に保護できる特徴がある。ただ、透明シートは、図示しないが、複数の貫通孔を開口して、通気性を向上することもできる。
【００２９】
発電シート１０、３０は、太陽電池１２に接続している引き出し線２０を連結している。引き出し線２０は、一端を太陽電池１２に接続して、その先端には充電式電気機器４０に脱着できるように接続する出力コネクタ２１を連結している。このソーラー充電器は、引き出し線２０の出力コネクタ２１を充電式電気機器４０に連結し、引き出し線２０を介して太陽電池１２に接続している充電式電気機器４０を発電シート１０、３０の収納ポケット１３に収納する。このソーラー充電器は、充電式電気機器４０を収納ポケット１３に簡単に出し入れしながら、引き出し線２０を介して発電シート１０、３０に電気接続できる。ただ、太陽電池と充電式電気機器とは、必ずしも引き出し線で接続する必要はなく、たとえば、収納ポケットの内部に太陽電池に接続しているコネクタを設け、充電式電気機器が収納ポケットに収納される状態でコネクタに接続して、太陽電池の発電電力を充電式電気機器に供給することもできる。
【００３０】
図４、図７、及び図１０のソーラー充電器は、発電シート１０、３０に連結している引き出し線２０の先端にＵＳＢコネクタ２１Ａを連結している。この引き出し線２０は、一端を太陽電池１２に接続して、その先端にＵＳＢコネクタ２１Ａを連結しているので、ＵＳＢコネクタ２１Ａを接続できる全ての電子機器に接続して、ＵＳＢコネクタのある電子機器に内蔵される二次電池を充電することができる。
【００３１】
以上のソーラー充電器は、収納ポケット１３に充電式電気機器４０を収納して、引き出し線２０を介して太陽電池１２に接続すると共に、発電シート１０、３０を窓ガラス５０等の内側に吊り下げて、あるいは、窓ガラス５０に貼り付けて、収納ポケット１３に収納している充電式電気機器４０の二次電池４１を太陽電池１２の発電電力で充電する。なお、以上の実施例では、ソーラー充電器を、窓ガラスの内側に配置する使用例を詳述しているが、ソーラー充電器は、屋内または屋外を問わず、太陽光が照射される場所に配置して、太陽電池で発電して充電式電気機器の二次電池を充電することもできる。
【００３２】
収納ポケット１３に収納される充電式電気機器４０は、太陽電池２１の発電電力で充電される二次電池４１を内蔵している電気機器であって、収納ポケット１３に収納できる大きさと外形を有している。この充電式電気機器４０として、外部に接続される携帯機器を充電する緊急充電器４０Ａ、あるいは、携帯電話やＩＣプレーヤ等の携帯機器とすることができる。緊急充電器４０Ａである充電式電気機器４０は、詳細には後述するが、内蔵する二次電池４１が太陽電池１２の発電電力で充電されると共に、充電された二次電池４１の電力で、外部に接続される他の携帯機器の二次電池を充電する。携帯機器である充電式電気機器は、図示しないが、引き出し線が接続されて収納ポケットに収納される状態で、太陽電池の発電電力で、内蔵電池である二次電池が充電される。
【００３３】
さらに、本発明のソーラー充電器は、発電シート１０、３０の太陽電池１２に接続されて、太陽電池１２の発電電力で充電される二次電池４１を内蔵してなる充電式電気機器４０を備えることができる。図に示す充電式電気機器４０は、外部に接続される携帯機器の内蔵電池を充電する緊急充電器４０Ａである。
【００３４】
緊急充電器４０Ａは、図５、図９、及び図１１に示すように、収納ポケット１３に収納される状態で、引き出し線２０を介して太陽電池１２に接続されて、太陽電池１２の発電電力で内蔵する二次電池４１を充電する。さらに、緊急充電器４０Ａは、図１２に示すように、充電された二次電池４１で、接続される携帯機器等６０の内蔵電池６１を充電する。
【００３５】
緊急充電器４０Ａは、図１２と図１３に示すように、携帯電話などの携帯機器６０に接続されるコネクタ４２やリード線（図示せず）を設けている。コネクタ４２やリード線は、緊急充電器４０Ａに内蔵している電源回路（図示せず）を介して、あるいは電源回路を介することなく、太陽電池１２で充電される二次電池４１に接続されて、二次電池４１で接続される携帯電話などの携帯機器６０の内蔵電池６１を充電する。緊急充電器４０Ａに内蔵される電源回路は、二次電池４１の電圧を一定の電圧に安定化して出力し、あるいは出力電流を一定に制限して出力する回路である。さらに、緊急充電器４０Ａは、二次電池４１の電力を出力するＵＳＢコネクタ４２Ａを設けている。この緊急充電器４０Ａは、ＵＳＢコネクタ４２Ａに直接に接続される携帯機器や、ＵＳＢコネクタ６２を介して接続できる種々の携帯機器６０を充電することができる。
【００３６】
さらに、図に示す緊急充電器４０Ａは、内蔵される二次電池４１の充電状態を表示する表示部４３を備えている。図１３の緊急充電器４０Ａは、全体または部分的に透光性を有するケース４５の内部に発光ダイオード４４を配設して表示部４３を設けている。この表示部４３は、ケース４５に内蔵される発光ダイオード４４の点灯状態を、ケース４５を透過して外部から視認できる。ただ、表示部は、パイロットランプとすることもできる。パイロットランプである表示部は、ケースに開口した開口窓に発光ダイオードを配設する。表示部４３は、太陽電池１２で充電される二次電池４１の充電状態で発光ダイオード４４の発光色や点滅パターン等の点灯状態を変化することで、二次電池４１の充電状態や残容量をユーザーに明確に知らせることができる。
【００３７】
このソーラー充電器は、図９と図１１に示すように、収納ポケット１３に緊急充電器４０Ａを収納して太陽電池１２に接続する状態で、太陽電池１２の充電電力による、二次電池４１の充電状態をユーザーが外部から目で見て確認できる。このため、ユーザーは、緊急充電器４０Ａの二次電池４１が確実に充電されることを確認しながら、安心してソーラー充電器を使用できる。二次電池４１が充電された緊急充電器４０Ａは、収納ポケット１３から取り出され、あるいは収納ポケット１３に収納する状態で、他の携帯機器６０に接続されて、携帯機器６０の内蔵電池６１を充電する。
【符号の説明】
【００３８】
１０…発電シート
１１…シートカバー
１２…太陽電池
１３…収納ポケット
１４…裏面シート              １４Ａ…網目状シート
１４Ｂ…透明シート
１５…ファスナー
１６…周壁
１７…補強線材
１８…脱着連結具
２０…引き出し線
２１…出力コネクタ            ２１Ａ…ＵＳＢコネクタ
２５…吊り下げ穴
２６…吸盤
３０…発電シート
３１…シートカバー
４０…充電式電気機器          ４０Ａ…緊急充電器
４１…二次電池
４２…コネクタ                ４２Ａ…ＵＳＢコネクタ
４３…表示部
４４…発光ダイオード
４５…ケース
５０…窓ガラス
５１…窓枠
５２…フック
５３…吊り紐
６０…携帯機器
６１…内蔵電池
６２…ＵＳＢコネクタ
１０１…ケース
１０２…底面
１０４…太陽電池
１０５…予備電池
１０６…外部電池
【図１】
2011019316.tif 000003
【図２】
2011019316.tif 000004
【図３】
2011019316.tif 000005
【図４】
2011019316.tif 000006
【図５】
2011019316.tif 000007
【図６】
2011019316.tif 000008
【図７】
2011019316.tif 000009
【図８】
2011019316.tif 000010
【図９】
2011019316.tif 000011
【図１０】
2011019316.tif 000012
【図１１】
2011019316.tif 000013
【図１２】
2011019316.tif 000014
【図１３】
2011019316.tif 000015